(57)【要約】【課題】景品獲得の難度を低くすることを可能にしたクレーン遊技機の提供を目的とする。【解決手段】被係止部１を備えた景品２が載せられる景品ベッド３と、  景品ベッド３上の移動スペース内において遊技者により遠隔操作されて決定された景品ベッド３から適宜高さ離隔した遊技者選択位置から自動駆動されて景品ベッド３に向けて降下、上昇した後、前記移動スペースの適宜箇所に設定した景品受けエリア４まで移動する可動ヘッド５と、  景品２の被係止部１を係止可能なフック形状に形成されて可動ヘッド５に回転自在に連結され、可動ヘッド５が景品受けエリア４上に達した際に係止解除姿勢に回転駆動される景品釣り部材６とを有する。【選択図】  図１
2013042923.tif 000002
【特許請求の範囲】
【請求項１】
被係止部を備えた景品が載せられる景品ベッドと、
景品ベッド上の移動スペース内において遊技者により遠隔操作されて決定された景品ベッドから適宜高さ離隔した遊技者選択位置から自動駆動されて景品ベッドに向けて降下、上昇した後、前記移動スペースの適宜箇所に設定した景品受けエリアまで移動する可動ヘッドと、
景品の被係止部を係止可能なフック形状に形成されて可動ヘッドに回転自在に連結され、可動ヘッドが景品受けエリア上に達した際に係止解除姿勢に回転駆動される景品釣り部材と、
を有するクレーン遊技機。
【請求項２】
前記景品釣り部材は、可動ヘッドが景品受けエリア上に到達した際に初期位置から作動位置に移動する可動ヘッド内のフック駆動部に一端が連結される圧縮方向に反力をもたない柔軟な操作索に引っ張られて係止解除姿勢に駆動される請求項１記載のクレーン遊技機。
【請求項３】
前記景品釣り部材は、可動ヘッドから揺動自在に垂下される支持杆の下端に回転自在に連結される請求項２記載のクレーン遊技機。
【請求項４】
被係止部を備えた景品が載せられる景品ベッド上の移動スペース内において遊技者により遠隔操作されて決定された景品ベッドから適宜高さ離隔した遊技者選択位置から自動駆動されて景品ベッドに向けて降下、上昇した後、前記移動スペースの適宜箇所に設定した景品受けエリアまで移動する可動ヘッドに装着される景品釣りアタッチメントであって、
前記可動ヘッドに揺動自在に連結される支持杆と、
支持杆の下端に回転自在に連結される景品の被係止部を係止可能なフック形状の景品釣り部材と、
可動ヘッドが景品受けエリア上に到達した際に初期位置から作動位置に移動する可動ヘッド内のフック駆動部への連結手段を一端に備えるとともに、他端が景品釣り部材に連結され、フック駆動部の作動位置への移動に伴って景品釣り部材を係止解除姿勢に引っ張って移動させる圧縮方向に反力をもたない柔軟な操作索と、
を有するクレーン遊技機の景品釣りアタッチメント。
【発明の詳細な説明】
【技術分野】
【０００１】
本発明は、クレーン遊技機に関するものである。
【背景技術】
【０００２】
景品ベッド上に載置された景品を遊技者の操作により駆動されるキャッチャーにより掴んで景品受けエリア上まで搬送するクレーン遊技機としては、特許文献１に記載のものが知られている。
【０００３】
この従来例において、キャッチャーは、く字状に折り曲げられ、折り曲げ部位を背向させて配置される一対の把持アームを備える。把持アームは、キャッチャーの位置に同期して先端同士が近接、接触する把持姿勢と、先端間が離隔する把持解除姿勢との間で駆動され、把持姿勢の把持アームにより景品を挟んで景品受けエリアまで搬送した後、把持解除姿勢に移行させ、搬送した景品を景品取り出し口に放出する。
【先行技術文献】
【特許文献】
【０００４】
【特許文献１】特開２００５-２３７９３９号公報
【発明の概要】
【発明が解決しようとする課題】
【０００５】
しかし、上述した従来例において、二本の把持アームにより景品をバランスよく挟み付けることは技術を要するために、景品獲得の難度が高すぎるという問題がある。
【０００６】
本発明は、以上の欠点を解消すべくなされたものであって、景品獲得の難度を低くすることを可能にしたクレーン遊技機の提供を目的とする。また、本発明の他の目的は、周知のクレーン遊技機を利用して上記クレーン遊技機を形成するために使用することのできるアタッチメントの提供にある。
【課題を解決するための手段】
【０００７】
本発明によれば上記目的は、
被係止部１を備えた景品２が載せられる景品ベッド３と、
景品ベッド３上の移動スペース内において遊技者により遠隔操作されて決定された景品ベッド３から適宜高さ離隔した遊技者選択位置から自動駆動されて景品ベッド３に向けて降下、上昇した後、前記移動スペースの適宜箇所に設定した景品受けエリア４まで移動する可動ヘッド５と、
景品２の被係止部１を係止可能なフック形状に形成されて可動ヘッド５に回転自在に連結され、可動ヘッド５が景品受けエリア４上に達した際に係止解除姿勢に回転駆動される景品釣り部材６と、
を有するクレーン遊技機を提供することにより達成される。
【０００８】
クレーン遊技機には景品ベッド３が設けられ、該景品ベッド３上に被係止部１を備えた景品２が載置、あるいは積み上げられる。
【０００９】
景品釣り部材６が連結された可動ヘッド５は、上記景品ベッド３から適宜高さに設定される操作平面内を移動操作可能であり、遊技者は、レバー、あるいはボタン等の適宜のコントロール手段を使用して操作平面内の所望の位置に可動ヘッド５を停止させることができる。遊技者により選択された操作平面内の適宜位置まで駆動された可動ヘッド５は、その後直ちに、あるいは遊技者による高さ調整操作後、自動的に景品釣り部材６が景品２の被係止部１に係止可能な位置まで降下した後、再び上昇し、予め定められた景品受けエリア４まで駆動される。
【００１０】
遊技者が選択したＸＹ位置からの降下動作によってフック形状の景品釣り部材６を被係止部１に係止させることができない可能性、および、係止に成功した場合においても、回転自在な景品釣り部材６への係止位置（荷重点）が適切でない場合には、景品釣り部材６に係止解除方向の回転モーメントが発生して景品２を景品受けエリア４まで搬送できない可能性は遊技機にゲーム性を付与する。
【００１１】
一方、これらの景品搬送に対する障害は、重心位置等を考慮して景品２をバランスよく把持アームにより挟んで搬送する従来例に比して低いために、遊技者に高い技術が要求されることがなく、ゲームの難易度を適度に低下させることができる。
【００１２】
また、景品釣り部材６は、可動ヘッド５が景品受けエリア４まで移動した際には、自動的に係止解除姿勢に移行し、係止している景品２を景品取り出し口１０に落下させるために、係員等が景品２を景品釣り部材６から取り外して遊技者に渡す操作も必要ないために、遊技機の管理、運営者の手間も省ける。
【００１３】
景品釣り部材６を回転可能性を維持してゲーム性を確保しながら係止解除姿勢に移行させるためには、種々の機構が利用できるが、操作索８を使用すると、構造を簡単にすることができる。
【００１４】
この場合、クレーン遊技機は、
前記景品釣り部材６は、可動ヘッド５が景品受けエリア４上に到達した際に初期位置から作動位置に移動する可動ヘッド５内のフック駆動部７に一端が連結される圧縮方向に反力をもたない柔軟な操作索８に引っ張られて係止解除姿勢に駆動されるように構成することができる。
【００１５】
また、景品釣り部材６は、可動ヘッド５に直接連結することも可能であるが、
前記景品釣り部材６は、可動ヘッド５から揺動自在に垂下される支持杆９の下端に回転自在に連結されるクレーン遊技機を構成した場合には、可動ヘッド５と支持杆９との連結部に可変部、すなわち、景品２の係止操作に対する不確定要素を設定することが可能になるために、ゲーム性を高めることが可能になる。
【００１６】
また、
被係止部１を備えた景品２が載せられる景品ベッド３上の移動スペース内において遊技者により遠隔操作されて決定された景品ベッド３から適宜高さ離隔した遊技者選択位置から自動駆動されて景品ベッド３に向けて降下、上昇した後、前記移動スペースの適宜箇所に設定した景品受けエリア４まで移動する可動ヘッド５に装着される景品釣りアタッチメント（Ａ）であって、
前記可動ヘッド５に揺動自在に連結される支持杆９と、
支持杆９の下端に回転自在に連結される景品２の被係止部１を係止可能なフック形状の景品釣り部材６と、
可動ヘッド５が景品受けエリア４上に到達した際に初期位置から作動位置に移動する可動ヘッド５内のフック駆動部７への連結手段を一端に備えるとともに、他端が景品釣り部材６に連結され、フック駆動部７の作動位置への移動に伴って景品釣り部材６を係止解除姿勢に引っ張って移動させる圧縮方向に反力をもたない柔軟な操作索８と、
を有するクレーン遊技機の景品釣りアタッチメントを構成した場合、例えば、従来例として示したような把持アーム１１を使用するクレーン遊技機の主要部分をそのまま利用して仕様変更することが可能になる。
【発明の効果】
【００１７】
本発明によれば、景品獲得の難度を低くすることにより遊技者人口を増加させることができ、さらに、獲得景品の係員による景品取り外し操作が不要となる。
【図面の簡単な説明】
【００１８】
【図１】本発明による遊技機の全体構造を示す説明図である。
【図２】図１の要部拡大図である。
【図３】係止解除状態を示す図である。
【図４】件品釣りアタッチメントを示す図で、（ａ）は（ｂ）の４Ａ-４Ａ線断面図、（ｂ）は側面図である。
【発明を実施するための形態】
【００１９】
図１に示すように、遊技機は、装置筐体１２内に配置され、紙面に対して直交方向に駆動されるＸ方向移動レール１３と、このＸ方向移動レール１３に沿って駆動されるＹ方向移動体１４と、Ｙ方向移動体１４に固定されるエレベータボックス１５とを有する。エレベータボックス１５には、連結管１６を介して可動ヘッド５が吊下されており、この可動ヘッド５にフック形状の景品釣り部材６が連結される。
【００２０】
一方、可動ヘッド５が移動する移動スペースの底壁を構成する景品ベッド３には、複数の景品２が積み上げられており、移動スペースの一角には、景品取り出し口１０に連通する景品受けエリア４が設定される。各景品２には、上記景品釣り部材６が係止可能なループ形状の被係止部１が形成される。
【００２１】
上記可動ヘッド５は、装置筐体１２に配置される図外の操作ボタンによりＸ方向移動レール１３とＹ方向移動体１４を駆動させることにより移動スペース内でＸＹ方向に移動させることができる。遊技者による決定されたＸＹ位置に移動した可動ヘッド５は、その後、自動運転されてＸＹ位置から景品ベッド３に向けて所定距離降下した後、再び上昇し、次いで、ＸＹ方向に自動運転されて景品受けエリア４まで駆動される。
【００２２】
可動ヘッド５が適正なＸＹ位置に導かれていると、可動ヘッド５の降下動作に伴ってフック形状を有する景品釣り部材６は、景品２の被係止部１を係止することができ、この後、可動ヘッド５の上昇、および景品受けエリア４への並進移動動作に伴って景品２も釣り上げられた状態で景品受けエリア４に搬送される。
【００２３】
後に詳述するように、景品受けエリア４まで可動ヘッド５が移動すると、景品釣り部材６は係止解除姿勢に姿勢変更して被係止部１との係止が解除されて景品２が落下し、遊技者は景品取り出し口１０から景品２を取り出すことができる。
【００２４】
この実施の形態において、遊技機は、上述した従来例に示されるように、把持アーム１１を使用して景品２を景品受けエリア４まで搬送するクレーン遊技機の把持アーム１１に代えてアタッチメントを装着することにより形成される。
【００２５】
図２は上述したタイプの遊技機における可動ヘッド５の駆動部の大まかな構造を示すもので、可動ヘッド５をエレベータボックス１５から吊り下げるための連結管１６は、テレスコープ状に形成されて伸縮自在であり、牽引ワイヤ１７により収縮状態が維持される。
【００２６】
牽引ワイヤ１７は、方向転換プーリ１７ａを経由してエレベータボックス１５内に収容されるワイヤ巻き上げプーリ１７ｂに一端が連結され、ワイヤ巻き上げプーリ１７ｂは、エレベータ駆動モータ１７ｃにより回転駆動される。連結管１６の長さ、すなわち、可動ヘッド５の高さ位置（Ｚ方向位置）は、エレベータ駆動モータ１７ｃの回転を制御することにより調整することが可能であり、該エレベータ駆動モータ１７ｃを巻回解除方向に駆動することにより可動ヘッド５は自重により降下し、逆回転させると上昇する。
【００２７】
また、エレベータボックス１５内には弛みセンサ１８が配置される。弛みセンサ１８は、可動ヘッド５が降下して景品２に乗り上げた際に牽引ワイヤ１７に発生する弛みを検出し、弛みセンサ１８による弛み検出信号の出力によりエレベータ駆動モータ１７ｃを停止すると、景品２の有無を考慮した降下方向終端を決定することができる。
【００２８】
また、エレベータボックス１５内には商用電源１９から給電を受け、エレベータボックス１５内に収容されるエレベータ駆動モータ１７ｃ等の電子部品、およびカールコード２０を経由して可動ヘッド５内に給電する電源回路２１が格納される。
【００２９】
一方、可動ヘッド５は、ヘッドケース５ａ内に収容される制御基板２２、モータ２３、フック駆動部７としての出力プレートを有する。図２、３に示すように、左右に把持アーム１１を連結するように形成されている可動ヘッド５は、各把持アーム１１に対応して２個のモータ２３が使用されており、各モータ２３の出力は、減速歯車列２３ａを介して出力プレート７に伝達される。
【００３０】
各出力プレート７は枢軸７ａ周りに回転自在であり、枢軸７ａから適宜間隔隔てた位置に、雌ねじからなるアーム取付部２４が形成される。図２に示す状態からモータ２３を開方向回転駆動すると、図３に示すように、左側に位置する出力プレート７は時計回りに、右側に位置する出力プレート７は反時計回りに各々回転し、モータ２３の閉方向回転駆動により図２の状態に復帰する。
【００３１】
出力プレート７の回転に伴って図外のビス等を使用してアーム取付部２４に連結された把持アーム１１は、図２の閉姿勢と、先端間が景品２を把持可能なように開いた図３の開姿勢との間を移行する。
【００３２】
上記モータ２３の回転制御は、図外のセンサの出力を見て適宜タイミングで行われるが、この実施の形態においては、可動ヘッド５が遊技前の待機位置にあるときに、出力プレート７は閉位置に保持されており、遊技者によって所望のＸＹ位置に搬送された後、降下動作の開始に伴って開方向回転駆動される。
【００３３】
次いで、弛みセンサ１８により下方ストローク終端が検出されると、モータ２３は閉回転方向に駆動され、把持アーム１１の閉姿勢への移行に十分な時間が経過した後、可動ヘッド５は上昇し、さらに景品受けエリア４までの並進駆動され、景品受けエリア４への到達が検出されると、モータ２３は再び開方向回転駆動される。
【００３４】
なお、図２、３において２５は調節ボルトであり、ヘッドケース５ａの下端に開設される調整用開口５ｂからドライバ等により回転操作することにより頭部の位置を上下させ、出力プレート７の閉位置を調整することができる。
【００３５】
一方、アタッチメント（Ａ）は、図４に示すように、適宜長さを有する支持杆９と、支持杆９の上端に連結されるヘッド連結部材２６と、枢軸２７を使用して支持杆９の下端に回転自在に連結される景品釣り部材６とを有し、把持アーム１１に代えてヘッドケース５ａに連結される。
【００３６】
ヘッド連結部材２６は、平面視矩形状の取付プレート２６ａの中心部から下方に連結柱２６ｂを突出させて形成され、可変連結部２８を介して支持杆９の上端に連結される。可変連結部２８は、ヘッド連結部材２６をヘッドケース５ｂに固定した際の支持杆９の移動の自由度を確保するために設けられるもので、本例においては、適数の二重リングを連結して形成される。
【００３７】
アタッチメント（Ａ）のヘッドケース５ａへの連結は、ヘッドケース５ａ内に取付プレート２６ａを位置させるとともに、調整用開口５ｂから連結柱２６ｂを突出させて行われ、アタッチメント（Ａ）を取り付けた状態で支持杆９は自由に移動できるようにヘッドケースから吊下される。  
【００３８】
景品釣り部材６は、上記景品２の被係止部１に係止可能なフック形状を有しており、ゲーム性を高めるために、係止面６ａを湾曲させることなく水平な直線形状に形成されるとともに、係止面６ａの基端が枢軸２７から下ろした垂線（Ｐ）にほぼ一致するように形成される。
【００３９】
すなわち、本例において、係止面６ａに被係止部１が係止した状態でアタッチメント（Ａ）が図４の鉛直姿勢で上昇すると、景品釣り部材６には時計回り、すなわち、係止解除方向の回転モーメントが発生する。回転モーメントの大きさは主として、景品２の重量（Ｗ）と係止箇所の枢軸２７からの水平方向距離（δ）により決定され、この回転モーメントが枢軸２７における回転抵抗に比して大きな場合、景品釣り部材６は係止解除方向に回転する。景品釣り部材６が回転した際、係止面６ａが、例えば、下に凸の湾曲面、あるいは先端に行くに従って漸次高くなる傾斜面により形成されている場合には、回転に伴う係止面６ａの傾きが係止面６ａの面形状により補償されるために、初期回転による上記枢軸２７との間隔δ、および回転モーメントが小さくなり、やがて釣り合い状態になる可能性が高いために、景品２の搬送に対する支障は小さくなる。
【００４０】
これに対し、係止面６ａが水平面で形成される本例においては、係止面６ａでの補償が働かないために、荷重点は自由端側に移動しながら枢軸２７との水平間隔δを保持するために、景品釣り部材６の回転が継続し、景品２を搬送することができない。
【００４１】
なお、以上においては、係止面６ａを水平面とすることにより景品２搬送に不確定性を付与する場合を示したが、このほかに、係止面６ａを先端に行くに従って徐々に低くなる傾斜面とすることによりより不確定を高めることもできる。また、上述した説明において、遊技者はＸＹ位置のみを決定できるように設定されているが、ＸＹ位置決定後、所定範囲でＺ位置の決定も可能にするように構成することもできる。
【００４２】
さらに、上記景品釣り部材６には操作索８の一端が連結される。図４に示すように、操作索８は、景品釣り部材６の背面部に連結された後、支持杆９の背面に沿って上方に導かれ、次いで、支持杆９に形成される貫通孔９ａを通って支持杆９の正面壁側に引き出される。支持杆９の正面壁側に引き出された操作索８は、再び上方に導かれた後、ヘッド連結部材２６の連結柱２６ｂに開設されたワイヤ挿通孔２６ｃを経由して取付プレート２６ａの中心部から外部に引き出される。
【００４３】
操作索８は、景品釣り部材６に係止解除方向の荷重が負荷された際の抵抗成分とならないように、圧縮方向の荷重に対して十分な柔軟性を有する材料により形成され、本例においては、細径のナイロン糸により形成される。
【００４４】
上記操作索８のヘッド連結部材２６からの引き出し端にはアタッチメント（Ａ）を可動ヘッド５に連結した状態でヘッドケース５ａ内のフック駆動部７に連結される二重リング２９が連結される。
【００４５】
この状態で可動ヘッド５が駆動されると、可動ヘッド５のフック駆動部７が閉位置にあるときには、景品釣り部材６は自重により図２の係止姿勢に保持され、フック駆動部７の開位置への移動に伴って図３の係止解除姿勢に移行する。
【００４６】
以上の構成の下、ゲームは、可動ヘッド５を駆動することにより景品釣り部材６により景品２の被係止部１を係止し、景品受けエリア４まで搬送することにより行われ、景品受けエリア４に達すると、景品釣り部材６は景品２の捕捉を解除し、遊技者に渡される。
【符号の説明】
【００４７】
１        被係止部
２        景品
３        景品ベッド
４        景品受けエリア
５        可動ヘッド
６        景品釣り部材
７        フック駆動部
８        操作索
９        支持杆
Ａ        景品釣りアタッチメント
【図１】
2013042923.tif 000003
【図２】
2013042923.tif 000004
【図３】
2013042923.tif 000005
【図４】
2013042923.tif 000006